(57)【要約】【課題】  ネットワークに接続された画像形成装置と情報処理装置とから成る画像形成システムにおいて、画像形成の際に発生する印刷損紙の検出を、安価且つ確実に行うことができる画像形成システムを提供することである。【解決手段】  原稿から画像を読み取って画像データを得る画像読取部と画像データに基づいて用紙に画像を形成する画像形成部とを有する画像形成装置と、画像データを用いた画像処理を行う情報処理装置とをネットワークで接続して成る画像形成システムにおいて、前記画像形成装置が、所定の画像データを判定対象データとして前記情報処理装置に送信する判定対象データ送信手段を有し、前記情報処理装置が、前記判定対象データ送信手段からの判定対象データが、良好なデータか否かを判定する良否判定手段を有することを特徴とする。【選択図】  図１
2005341005.tif 000002
【特許請求の範囲】
【請求項１】
原稿から画像を読み取って画像データを得る画像読取部と画像データに基づいて用紙に画像を形成する画像形成部とを有する画像形成装置と、画像データを用いた画像処理を行う情報処理装置とをネットワークで接続して成る画像形成システムにおいて、
前記画像形成装置が、所定の画像データを判定対象データとして前記情報処理装置に送信する判定対象データ送信手段を有し、
前記情報処理装置が、前記判定対象データ送信手段からの判定対象データが、良好なデータか否かを判定する良否判定手段を有する
ことを特徴とする画像形成システム。
【請求項２】
前記画像形成装置が、前記判定対象データの良否判定の基準となる基準データを前記情報処理装置に送信する基準データ送信手段をさらに有し、
前記良否判定手段が、前記基準データ送信手段からの基準データと前記判定対象データ送信手段からの判定対象データとを比較することによって、該判定対象データが良好なデータか否かを判定する
ことを特徴とする請求項１に記載の画像形成システム。
【請求項３】
前記判定対象データが、前記画像形成部にて画像形成した印刷物の画像を、前記画像読取部にて読み取って得た画像データであることを特徴とする請求項１または２に記載の画像形成システム。
【請求項４】
前記基準データが、所定の用紙の画像を前記画像読取部にて読み取って得た画像データであることを特徴とする請求項２または３に記載の画像形成システム。
【請求項５】
前記基準データが、プリントのための画像データであることを特徴とする請求項２または３に記載の画像形成システム。
【発明の詳細な説明】
【技術分野】
【０００１】
本発明は画像形成システムに関し、詳しくは画像形成装置と情報処理装置とがネットワークで接続されて成る画像形成システムに関する。
【背景技術】
【０００２】
従来から、画像が記録された原稿から画像を読み取り画像データとして出力する画像読取手段と、画像データに基づいて用紙等に画像を形成する画像形成手段とを有するディジタル複写機等の画像形成装置がよく知られている。
【０００３】
このような画像形成装置では、たとえば、画像読取手段によって読み取った画像データに対してトリミング等の簡単な画像処理を施し、この画像処理を施した画像データに基づいて画像形成手段が画像形成を行うことができる。
【０００４】
また、従来からネットワーク環境で用いられる画像形成システムが提供されている。
【０００５】
この画像形成システムは、たとえば、ディジタル複写機等の画像形成装置と、この画像形成装置に対して画像のスキャン（読み取り）やプリント（印刷）を指示するパソコンやワークステーション等の情報処理装置とがネットワークで相互に接続されて構成される。また、ネットワークに複数の画像形成装置や複数の情報処理装置が接続される構成もとり得る。
【０００６】
このような画像形成システムにおいては、たとえば情報処理装置から画像形成装置に対して画像の読み取りを指示し、画像形成装置が読み取った画像を情報処理装置に転送するスキャナモードとしての利用法や、情報処理装置から画像形成装置に対し、プリントを指示し、画像形成装置から出力するプリンタとしての利用法が知られている。
【０００７】
従来の画像形成システムでは、たとえばこのスキャナモードで画像形成装置が読み取った画像の画像データを情報処理装置に転送し、この画像データを受け取った情報処理装置では、画像データを画像ファイルとしてそのままたとえばハードディスクに保存したり、その画像ファイルを必要に応じて画像形成装置に転送して画像形成を行うことができる。
【０００８】
また、特許文献１には、画像データに対して様々な画像処理を施す際に、その画像処理を画像形成装置において施すか、それともネットワークを介して情報処理装置に画像データを転送しこの情報処理装置において画像処理を施すかを、ユーザが選択することができる画像形成システムが開示されている。
【０００９】
ところで、複写機とは異なる一般の印刷業界において、大量に印刷する場合などではその中には何枚かの不良すなわち印刷損紙（やれ紙）が含まれてしまうことがあり、この印刷損紙の検出は重要であった。
【００１０】
この印刷業界における印刷損紙の検出は、たとえば、目視によって印刷結果の善し悪しをチェックしたり、印刷装置とは別に印刷損紙検出の専用のスキャナーと処理装置を設けて、スキャナーで読み取った画像を、本来の画像と比較するなどして行うようにしていた。
【００１１】
【特許文献１】特開２００１−３３３２３７号公報
【発明の開示】
【発明が解決しようとする課題】
【００１２】
ところが、従来の印刷損紙の検出は、大規模な印刷である印刷業界で適用されたものであり、小規模な複写機等の画像形成装置によって画像形成した出力に対しては適用されていなかった。
【００１３】
もし、従来の印刷業界における印刷損紙検出のシステムを、複写機等の画像形成装置で可能な軽印刷に適用するとなると、コスト的に高価なものとなってしまうし、少量の印刷に対して印刷損紙検出のための工数等がかかってしまい、望ましいものではない。
【００１４】
また、特許文献１に記載の従来の画像形成システムでは、印刷損紙の検出に関しては何ら開示されておらず、従来は軽印刷を行う画像形成システムにおいては印刷損紙の検出を行うことができないのが現状であった。
【００１５】
本発明は上記の点にかんがみてなされたもので、ネットワークに接続された画像形成装置と情報処理装置とから成る画像形成システムにおいて、画像形成の際に発生する印刷損紙の検出を、安価且つ確実に行うことができる画像形成システムを提供することを目的とする。
【課題を解決するための手段】
【００１６】
本発明は上記の目的を達成するために、原稿から画像を読み取って画像データを得る画像読取部と画像データに基づいて用紙に画像を形成する画像形成部とを有する画像形成装置と、画像データを用いた画像処理を行う情報処理装置とをネットワークで接続して成る画像形成システムにおいて、前記画像形成装置が、所定の画像データを判定対象データとして前記情報処理装置に送信する判定対象データ送信手段を有し、前記情報処理装置が、前記判定対象データ送信手段からの判定対象データが、良好なデータか否かを判定する良否判定手段を有することを特徴とする。
【００１７】
本発明は請求項１に記載の発明において、前記画像形成装置が、前記判定対象データの良否判定の基準となる基準データを前記情報処理装置に送信する基準データ送信手段をさらに有し、前記良否判定手段が、前記基準データ送信手段からの基準データと前記判定対象データ送信手段からの判定対象データとを比較することによって、該判定対象データが良好なデータか否かを判定することを特徴とする。
【００１８】
本発明は請求項１または２に記載の発明において、前記判定対象データが、前記画像形成部にて画像形成した印刷物の画像を、前記画像読取部にて読み取って得た画像データであることを特徴とする。
【００１９】
本発明は請求項２または３に記載の発明において、前記基準データが、所定の用紙の画像を前記画像読取部にて読み取って得た画像データか、プリントのための画像データであることを特徴とする。
【発明の効果】
【００２０】
本発明によれば、ネットワークに接続された複数の画像形成装置と情報処理装置とから成る画像形成システムにおいて、画像形成の際に発生する印刷損紙の検出を、安価且つ確実に行うことができる画像形成システムを提供することできる。
【００２１】
すなわち、本発明によれば、画像形成装置に設けられたスキャナによって画像を読み取り、ネットワークに接続された情報処理装置にて画像形成結果の良否を判定することができるので、すでにあるスキャナや安価な情報処理装置を利用することによって安価な構成を実現でき、また、情報処理装置によって良否判定を確実に行うことができ、また、情報処理装置の処理能力を利用することによって画像形成装置に余計な負荷をかけないで済むという効果もある。
【発明を実施するための最良の形態】
【００２２】
以下、本発明の実施の形態を図面を参照して説明する。
【００２３】
図１は、本発明による画像形成システムの一実施の形態のシステム構成を示すブロック図である。
【００２４】
本実施の形態では、画像形成装置の例として電子写真方式のディジタル複写機を挙げ、情報処理装置の例としてＰＣサーバを挙げて説明する。
【００２５】
図１に示すように、本実施の形態の画像形成システムは、ディジタル複写機１００および２００とＰＣサーバ３００とをネットワーク４００で接続して構成される。
【００２６】
ディジタル複写機１００および２００は、それぞれが単独で原稿の読み取り（スキャン）および画像形成（プリント）が可能なものであり、また、ネットワーク４００に接続された場合、デジタル複写機１００および２００をスキャナまたはプリンタとしてそれぞれ単体動作させることが可能で、たとえばディジタル複写機１００（スキャナ）で読み取った画像をディジタル複写機２００に転送しディジタル複写機２００（プリンタ）で画像形成したり、その逆も可能である。すなわち、ディジタル複写機１００や２００で読み取った画像をネットワーク４００を介して他の装置に転送したり、ネットワーク４００を介して他の装置から受け取った画像をディジタル複写機１００や２００で画像形成したりすることが可能である。
【００２７】
また、本実施の形態は、ネットワーク４００にＰＣサーバ３００も接続されて構成されている。このＰＣサーバ３００は、ディジタル複写機１００、２００から受け取った画像データに所定の画像処理を施し（ディジタル複写機１００や２００からの依頼に応じて様々なアプリケーションを提供し）、送信元に返送することができる。また、たとえば、ディジタル複写機１００から受け取った画像データに所定の画像処理を施し、送信元と異なるディジタル複写機２００に転送することができるようにしてもかまわない。
【００２８】
図１において、ネットワーク４００は、たとえばイーサネット（登録商標）やトークンリング等のＬＡＮやそのほかインターネットなど、どのようなネットワークでもかまわない。ネットワーク４００に接続された各装置のそれぞれには、予めネットワーク上のアドレスが設定されており、各装置はこのアドレスによって識別され、ネットワーク４００に接続された他の装置との通信を行う。
【００２９】
なお、図１では、ＰＣサーバすなわち画像処理サーバとディジタル複写機すなわち画像形成装置との数的関係が１対多となっているが、これが１対１、多対１、多対多となってもかまわないことはいうまでもない。
【００３０】
図２は、図１に示したディジタル複写機１００の構成を示す概略断面図である。
【００３１】
ここで、図２を参照して本実施の形態によるディジタル複写機１００の構成および基本動作について説明する。なお、ディジタル複写機２００の構成もディジタル複写機１００と同様であるので、ここでは代表してディジタル複写機１００について説明する。
【００３２】
ディジタル複写機１００は、カラー画像形成手段用に複数組の原稿書き込みユニット１５３Ｙ、１５３Ｍ、１５３Ｃを備え、モノクロ画像形成手段用に原稿書き込みユニット１５４Ｋを備えるものである。原稿書き込みユニット１５３Ｙはイエロー色、原稿書き込みユニット１５３Ｍはマゼンタ色、原稿書き込みユニット１５３Ｃはシアン色、原稿書き込みユニット１５４Ｋは黒色の画像形成が可能になっている。
【００３３】
上記原稿書き込みユニット１５３Ｙ、１５３Ｍ、１５３Ｃ、１５４Ｋにそれぞれ対応して、感光体６Ｙ、６Ｍ、６Ｃ、６Ｋ、帯電手段７Ｙ、７Ｍ、７Ｃ、７Ｋ、現像手段８Ｙ、８Ｍ、８Ｃ、８Ｋを備えている。また、上記カラー画像形成手段、モノクロ画像形成手段に共通する中間転写ユニット９を備えており、中間転写ユニット９は、複数のローラに巻回され、回転可能に支持されて上記感光体６Ｙ、６Ｍ、６Ｃ、６Ｋと接触可能に配置されたエンドレスベルト形状の中間転写体９ａと該中間転写体９ａを上記感光体６Ｙ、６Ｍ、６Ｃ、６Ｋに接触させて画像を転写させる一次転写手段９Ｙ、９Ｍ、９Ｃ、９Ｋを有している。
【００３４】
次いで他の構成を説明すると、ディジタル複写機１００の上部側には、スキャナ部として機能する原稿読み取りユニット１が設けられており、ガラス面のプラテン上に原稿がセットされ、原稿読み取りユニット１で走査されて読み取られる。該原稿読み取りユニット１内には上記走査によって得られる反射光が入力されるＣＣＤ１３１が配置されている。なお、原稿読み取りユニット１にはＡＤＦ（自動原稿送り装置）１ａを接続し、原稿の両面を読取可能な構成にすることが望ましい。
【００３５】
また、ディジタル複写機１００の下部には、給紙トレイ２、３、４が配置されており、それぞれに給紙手段２ａ、３ａ、４ａが設けられている。また、ディジタル複写機１００の側方外壁部には手差しトレイ５が設けられており、該手差しトレイ５に対する給紙手段５ａが設けられている。このように複数の給紙トレイ、手差しトレイが設けられているのでサイズの異なる複数種類の用紙を用いることができる。
【００３６】
上記給紙手段２ａ〜５ａの給紙側先方にはレジストローラ１５が配置され、さらにその先方には前記中間転写体９ａに用紙を押圧可能な二次転写ローラ１６が配置されている。該二次転写ローラ１６の先方には、定着手段１７が設けられており、該定着手段１７の先方には排紙ローラ１８が設けられている。
【００３７】
ディジタル複写機１００では、画像形成指令にしたがって、カラーでの印刷の際には、上記原稿書き込みユニット１５３Ｙ、１５３Ｍ、１５３Ｃ、１５４Ｋによって必要に応じて形成された画像が、前記感光体６Ｙ、６Ｍ、６Ｃ、６Ｋ、帯電手段７Ｙ、７Ｍ、７Ｃ、７Ｋ、現像手段８Ｙ、８Ｍ、８Ｃ、８Ｋ、一次転写手段９Ｙ、９Ｍ、９Ｃ、９Ｋによって中間転写体９ａに転写される。一方、モノクロ印刷の際には上記原稿書き込みユニット１５４Ｋによって形成された画像が、前記感光体６Ｋ、帯電手段７Ｋ、現像手段８Ｋ、一次転写手段９Ｋによって中間転写体９ａに転写される。
【００３８】
一方、画像形成に必要な用紙は、用紙サイズ等にしたがって給紙トレイ２、３、４または手差しトレイ５のいずれかから、給紙手段２ａ、３ａ、４ａまたは５ａによって給紙され、レジストローラ１５を経て二次転写ローラ１６に至る。該二次転写ローラ１６によって用紙は中間転写体９ａに押圧され、中間転写体９ａ上の画像が用紙に転写される。画像が転写された用紙は、定着手段１７で画像の定着がなされ、排紙ローラ１８を経てディジタル複写機１００の外部に排出される。
【００３９】
図３は、図１に示したディジタル複写機１００の構成を示すブロック図である。
【００４０】
図３に示すように、ディジタル複写機１００は、本体の全体制御を行う本体制御部２１と、原稿読み取りユニット１を有し、原稿から画像を読み取る画像入力部２２と、画像データに対して圧縮や伸長など任意の画像処理を施す画像処理部２３と、原稿書き込みユニット１５３Ｙ、１５３Ｍ、１５３Ｃ、１５４Ｋを有し、たとえば紙などの画像形成用紙に画像を形成する印刷制御部２５と、画像入力部２２によって読み取った画像データやそのほか、本体制御部２１で実行するソフトウェアプログラム、ディジタル複写機１００の動作に必要なパラメータ等を記憶する記憶部２４と、ディジタル複写機１００からユーザに対して情報表示したり、ユーザがディジタル複写機１００に対する操作、指示等を入力する表示操作部２６と、図１に示したネットワーク４００とのインタフェースであるネットワーク接続手段２７とを有して構成される。
【００４１】
記憶部２４に記憶する、本体制御部２１で実行するソフトウェアプログラムには、後述の本実施の形態に係る印刷物の良否判定のモードを実現するソフトウェアプログラムが含まれる。
【００４２】
図４は、図１に示したＰＣサーバ３００の構成を示すブロック図である。
【００４３】
ＰＣサーバ３００は、図１に示したネットワーク４００とのインタフェースであるネットワーク接続手段３１と、ＰＣサーバ３００全体の動作を制御する制御手段３２と、ＰＣサーバ３００の動作に必要なパラメータおよびソフトウェアプログラムのほか、ＰＣサーバ３００にて画像データに対して実行するアプリケーション（たとえば画像を編集する画像処理や、本実施の形態に係る印刷物の良否判定処理など）のソフトウェアプログラム等を記憶する記憶手段３３と、ＰＣサーバ３００の操作者がＰＣサーバ３００に対する操作、指示等を入力する入力手段３４と、ＰＣサーバ３００の操作者に対して様々な情報を表示する表示手段３５とを有して構成される。
【００４４】
次に、本実施の形態の動作について説明する。
【００４５】
図５は、図３に示したディジタル複写機１００の本体制御部２１で実行される、本実施の形態に係る印刷物の良否判定モードを実現するソフトウェアプログラムのフローチャートを示す図である。
【００４６】
また図６は、図３に示したディジタル複写機１００の本体制御部２１で実行される、本実施の形態に係る印刷物の良否判定モードを実現するソフトウェアプログラムのフローチャートを示す図であって、図５に続く処理を示す図である。
【００４７】
さらに図７は、図４に示したＰＣサーバ３００の制御手段３２で実行される、本実施の形態に係る印刷物の良否判定処理を行うソフトウェアプログラムのフローチャートを示す図である。
【００４８】
まず、ネットワーク４００に接続されたディジタル複写機１００は、ＰＣサーバ３００に対して、ＰＣサーバ３００が実行可能なアプリケーションの問い合わせを行って、ユーザに対して提供可能なアプリケーションの確認を行う（図５のステップ（Ａ−１））。この問い合わせを受けたＰＣサーバ３００では、記憶手段３３に保持し、自身が実行可能なアプリケーションのリストをディジタル複写機１００に対して送信する。
【００４９】
本実施の形態では、ディジタル複写機１００にて画像形成した印刷物の印刷状態が、基準データと比較して良好なものであるかの良否判定をＰＣサーバ３００にて実行するものであり、ＰＣサーバ３００が実行可能なアプリケーションすなわちユーザに対して提供可能なアプリケーションのリストには、この良否判定処理が含まれる。
【００５０】
アプリケーションのリストを受信したディジタル複写機１では、その一覧を表示操作部２６にてユーザに向けて表示する（Ａ−２）。
【００５１】
ユーザは、この一覧を参照して、表示操作部２６にて良否判定処理の実行の指示、すなわち良否判定モードの選択を行なう（Ａ−３）。これを受けた本体制御部２１では、良否判定モードが選択された旨をＰＣサーバ３００に対して通知する（Ａ−４）。
【００５２】
このときＰＣサーバ３００側では、この良否判定モードが選択された旨の通知を受信し、処理を進める（図７のステップ（Ｂ−１））。
【００５３】
図５の説明に戻り、ステップ（Ａ−５）では、基準データとして既存のものを用いるか、今回画像形成する印刷物のうち目視して良好であるとユーザが判断したものを用いるか、印刷データを用いるかを、ユーザに選択させる。
【００５４】
ユーザが既存データを用いる方を選択した場合には、ユーザは、表示操作部２６にて、その基準データの所在をディジタル複写機１００に対して示す。これは、たとえばハードディスク（たとえば記憶部２４）のどのフォルダにあるどのファイルを基準データとして用いるのかを示す。
【００５５】
これを受けた本体制御部２１では、その所在を示された基準データをＰＣサーバ３００に対して転送する（Ａ−６）。これが判定対象データの良否判定の基準となる基準データを情報処理装置に送信する基準データ送信手段である。
【００５６】
このときＰＣサーバ３００側では、基準データを受信することによって処理を進め（図７のステップ（Ｂ−２））、その受信した基準データをたとえば記憶手段３３に格納しておく（Ｂ−３）。
【００５７】
図５の説明に戻り、ステップ（Ａ−７）では、ユーザがセットしたコピー元の原稿画像を画像入力部２２によって読み取り（Ａ−７）、その読み取って得た画像データに基づいて印刷制御部２５にて用紙に画像形成すなわち印刷を実行する（Ａ−８）。
【００５８】
一方、ステップ（Ａ−５）において、ユーザが、今回画像形成する印刷物のうち目視して良好であるとユーザが判断したものを用いる方を選択した場合には、本体制御部２１による処理はステップ（Ａ−９）へと進み、ユーザがセットしたコピー元の原稿画像を画像入力部２２によって読み取り、その読み取って得た画像データに基づいて印刷制御部２５にて用紙に画像形成すなわち印刷を実行する（Ａ−１０）。
【００５９】
ユーザはその印刷物のうち印刷状態が良好なものを目視によって判断して選び出し、その用紙の画像を基準データとすべく、ディジタル複写機１００の画像入力部２２にその選び出した用紙をセットする。その後、ユーザが表示操作部２６にて基準データ用画像の読み取りを指示すると、本体制御部２１はこれを受け、その原稿の画像を読み取ってそれを基準データとして得て（Ａ−１１）、その基準データをＰＣサーバ３００に対して転送する（Ａ−１２）。これが判定対象データの良否判定の基準となる基準データを情報処理装置に送信する基準データ送信手段である。
【００６０】
このときＰＣサーバ３００側では、基準データを受信することによって処理を進め（図７のステップ（Ｂ−２））、その受信した基準データをたとえば記憶手段３３に格納しておく（Ｂ−３）。
【００６１】
図５のステップ（Ａ−８）および（Ａ−１２）に続いては、図６のステップ（Ａ−１３）へと進む。このステップ（Ａ−１３）では、ユーザは、ステップ（Ａ−８）または（Ａ−１０）で画像形成した印刷物のすべて（印刷状態の良否判定したい印刷物をすべて）をディジタル複写機１００の画像入力部２２にセットし、表示操作部２６にて印刷状態良否の判定対象データの読み取りを指示し、本体制御部２１はこれを受け、画像入力部２２にセットされた印刷物の画像を読み取る。
【００６２】
本体制御部２１は、この読み取った画像データを、判定対象データすなわち比較データとしてＰＣサーバ３００に対して転送する（Ａ−１４）。これが所定の画像データを判定対象データとして情報処理装置に送信する判定対象データ送信手段である。
【００６３】
このときＰＣサーバ３００側では、比較データすなわち印刷状態良否の判定対象の印刷物の画像データを受信することによって処理を進め（図７のステップ（Ｂ−４））、その受信した比較データの良否判定を行う（Ｂ−５）。これが判定対象データ送信手段からの判定対象データが、良好なデータか否かを判定する良否判定手段である。
【００６４】
このステップ（Ｂ−５）の良否判定では、複写機による画像形成の際に、比較的生じる可能性が高い、タイミングずれ、曲がり、偏り、マルチフィード（重送）による白紙、等について検査するのが望ましい。良否判定のアルゴリズム自体は既知のものを用いればよいので、ここでは、詳細な説明は省略するが、たとえば基準データの所定色の画素数と判定対象データの同一所定色の画素数とを比較して所定の率以上の数値のずれがあった場合は、重送による白紙等の可能性があり、印刷損紙である（すなわち印刷状態不良）と判定したり、また、十字のとんぼマークを予め印刷しておき、とんぼ位置を検出することによってタイミングずれ、曲がり、偏りを検出し、とんぼ位置が所定値以上にずれていた場合には印刷損紙である（すなわち印刷状態不良）と判定することができる。
【００６５】
このとんぼマークを用いる良否判定の場合には、良好な印刷状態の場合のとんぼマークの位置を予めＰＣサーバ３００に通知しておくようにすればよい。
【００６６】
このような印刷物の良否判定が、すべてのデータについて行われたならば（Ｂ−６）、ＰＣサーバ３００では、良好と判断した画像データおよび不良と判断した画像データ、もしくは、良好と判断した画像データまたは不良と判断した画像データを、たとえば表示手段３５においてサムネイル表示して（Ｂ−７）、ユーザがそれらを参照可能とすることが望ましい。
【００６７】
また、印刷状態が不良であるとの判定を行った画像データについては、ディジタル複写機１００にて画像形成のし直しをするように、予め設定しておいた場合には、その不良の画像データの情報を、ＰＣサーバ３００からディジタル複写機１００に対して送信することによって、それを受けたディジタル複写機１００にて自動的に、印刷状態が不良のために不足している印刷物を印刷することができる（図６のステップ（Ａ−１５）から図５のステップ（Ａ−８）へと進む。）。
【００６８】
また、印刷状態が不良であるとの判定を行った画像データについては、ユーザにサムネイル表示してユーザからの指示を待って再印刷するようにしてもよい。
【００６９】
なお、上述の実施の形態では、印刷物の印刷状態の良否判定を行う際、印刷がされて排出された印刷物を、ユーザが画像入力部２２にセットするようにしたが、本発明はこれに限られるものではなく、たとえばディジタル複写機１００において、良否判定モードが選択されている場合には、画像形成した用紙を排出せずに画像入力部２２に自動的に搬送するような搬送ローラ等を設け、ユーザの手を煩わせずに印刷物の印刷状態の良否判定を行うことができるようにしてもよい。
【図面の簡単な説明】
【００７０】
【図１】本発明による画像形成システムの一実施の形態のシステム構成を示すブロック図である。
【図２】図１に示したディジタル複写機の構成を示す概略断面図である。
【図３】図１に示したディジタル複写機の構成を示すブロック図である。
【図４】図１に示したＰＣサーバの構成を示すブロック図である。
【図５】図３に示したディジタル複写機の本体制御部で実行される、本実施の形態に係る印刷物の良否判定モードを実現するソフトウェアプログラムのフローチャートを示す図である。
【図６】図３に示したディジタル複写機の本体制御部で実行される、本実施の形態に係る印刷物の良否判定モードを実現するソフトウェアプログラムのフローチャートを示す図であって、図５に続く処理を示す図である。
【図７】図４に示したＰＣサーバの制御手段で実行される、本実施の形態に係る印刷物の良否判定処理を行うソフトウェアプログラムのフローチャートを示す図である。
【符号の説明】
【００７１】
１００、２００  ディジタル複写機
３００  ＰＣサーバ
４００  ネットワーク
１  原稿読み取りユニット
１ａ  ＡＤＦ
２、３、４  給紙トレイ
２ａ、３ａ、４ａ  給紙手段
５  手差しトレイ
５ａ  給紙手段
６Ｙ、６Ｍ、６Ｃ、６Ｋ  感光体
７Ｙ、７Ｍ、７Ｃ、７Ｋ  帯電手段
８Ｙ、８Ｍ、８Ｃ、８Ｋ  現像手段
９  中間転写ユニット
９ａ  中間転写体
９Ｙ、９Ｍ、９Ｃ、９Ｋ  一次転写手段
１５  レジストローラ
１６  二次転写ローラ
１７  定着手段
１８  排紙ローラ
１３１  ＣＣＤ
１５３Ｙ、１５３Ｍ、１５３Ｃ  原稿書き込みユニット
１５４Ｋ  原稿書き込みユニット
２１  本体制御部
２２  画像入力部
２３  画像処理部
２４  記憶部
２５  印刷制御部
２６  表示操作部
２７  ネットワーク接続手段
３１  ネットワーク接続手段
３２  制御手段
３３  記憶手段
３４  入力手段
３５  表示手段
【図１】
2005341005.tif 000003
【図２】
2005341005.tif 000004
【図３】
2005341005.tif 000005
【図４】
2005341005.tif 000006
【図５】
2005341005.tif 000007
【図６】
2005341005.tif 000008
【図７】
2005341005.tif 000009